(57)【要約】  ヒートポンプ装置は、冷媒を圧縮する圧縮機と、冷媒と液状の熱媒体との間で熱を交換する液熱交換器と、液熱交換器を収納する箱と、冷媒と空気との間で熱を交換する空気熱交換器と、空気熱交換器を通過する気流を発生させるファンロータとを備える。空気熱交換器は、後面に位置する後面部を有する。ファンロータは、空気熱交換器の後面部の前に位置する。箱は、前面と、後面と、前面の上端である前上端と後面の上端である後上端との間を接続する上面とを有する。後上端は、前上端よりも高い位置にある。箱の上面は、前位上面と、前位上面の後ろにある後位上面とに分かれる。前位上面は、後位上面よりも低い位置にある。ファンロータの少なくとも一部は、前位上面の上に位置する。
2020136825.tif 000002
【特許請求の範囲】
【請求項１】
冷媒を圧縮する圧縮機と、
前記冷媒と液状の熱媒体との間で熱を交換する液熱交換器と、
前記液熱交換器を収納する箱と、
前記冷媒と空気との間で熱を交換する空気熱交換器と、
前記空気熱交換器を通過する気流を発生させるファンロータと、
を備えるヒートポンプ装置において、
前記空気熱交換器は、後面に位置する後面部を有し、
前記ファンロータは、前記空気熱交換器の前記後面部の前に位置し、
前記箱は、前面と、後面と、前記前面の上端である前上端と前記後面の上端である後上端との間を接続する上面とを有し、
前記後上端は、前記前上端よりも高い位置にあり、
前記箱の前記上面は、前位上面と、前記前位上面の後ろにある後位上面とに分かれ、
前記前位上面は、前記後位上面よりも低い位置にあり、
前記ファンロータの少なくとも一部は、前記前位上面の上に位置するヒートポンプ装置。
【請求項２】
前記前位上面は、後ろから前に向かって連続的に位置が低くなるように傾斜している請求項１に記載のヒートポンプ装置。
【請求項３】
前記空気熱交換器の下端と前記空気熱交換器の上端との間の鉛直方向の距離は、空気熱交換器高さであり、
前記空気熱交換器の前記下端と前記ファンロータの回転中心との間の鉛直方向の距離は、回転中心高さであり、
前記回転中心高さは、前記空気熱交換器高さの０．４５倍以上、かつ、前記空気熱交換器高さの０．５４倍以下である請求項１または請求項２に記載のヒートポンプ装置。
【請求項４】
前記液熱交換器は、コイル状に巻かれた下段部分と、前記下段部分の上に位置し、コイル状に巻かれた上段部分とを有し、
平面視において、前記上段部分の外縁で囲まれる領域の面積が前記下段部分の外縁で囲まれる領域の面積よりも小さい請求項１から請求項３のいずれか一項に記載のヒートポンプ装置。
【請求項５】
前記ファンロータの周囲にあるベルマウスを備え、
前記ベルマウスの少なくとも一部は、前記前位上面の上に位置する請求項１から請求項４のいずれか一項に記載のヒートポンプ装置。
【請求項６】
前記ベルマウスの下端は、前記箱の前記後上端よりも低い位置にある請求項５に記載のヒートポンプ装置。
【請求項７】
前記箱の内部空間の鉛直方向についての寸法は、内部空間高さであり、
前記後位上面の下における前記内部空間高さは、前記前位上面の下における前記内部空間高さよりも大きい請求項１から請求項６のいずれか一項に記載のヒートポンプ装置。
【請求項８】
前記後位上面は、水平である請求項１から請求項７のいずれか一項に記載のヒートポンプ装置。
【発明の詳細な説明】
【技術分野】
【０００１】
本発明は、ヒートポンプ装置に関する。
【背景技術】
【０００２】
下記特許文献１には、ヒートポンプ式給湯システムに適用される室外機が開示されている。この室外機は、筐体内部に配置された圧縮機と、ファンモータに連結される送風ファンと、ファンモータを取り付けるファンモータ取付台と、筐体内部において圧縮機と送風ファンとの間に配置された仕切り板とを備える。
【先行技術文献】
【特許文献】
【０００３】
【特許文献１】日本特開２０１０−０１４３６８号公報
【発明の概要】
【発明が解決しようとする課題】
【０００４】
特許文献１の技術では、水と冷媒との間で熱を交換する水熱交換機を収納する箱を大きくすると、前面パネルに設けられたベルマウスと接触してしまう。そのため、大きい水熱交換機を搭載するためには、ベルマウスの位置を上方に移動する必要がある。その結果、空気熱交換器の熱交換効率の低下を招く。【０００５】
本発明は、上述のような課題を解決するためになされたもので、空気熱交換器の熱交換効率を向上する上で有利になるヒートポンプ装置を提供することを目的とする。
【課題を解決するための手段】
【０００６】
本発明のヒートポンプ装置は、冷媒を圧縮する圧縮機と、冷媒と液状の熱媒体との間で熱を交換する液熱交換器と、液熱交換器を収納する箱と、冷媒と空気との間で熱を交換する空気熱交換器と、空気熱交換器を通過する気流を発生させるファンロータと、を備えるヒートポンプ装置において、空気熱交換器は、後面に位置する後面部を有し、ファンロータは、空気熱交換器の後面部の前に位置し、箱は、前面と、後面と、前面の上端である前上端と後面の上端である後上端との間を接続する上面とを有し、後上端は、前上端よりも高い位置にあり、箱の上面は、前位上面と、前位上面の後ろにある後位上面とに分かれ、前位上面は、後位上面よりも低い位置にあり、ファンロータの少なくとも一部は、前位上面の上に位置するものである。
【発明の効果】
【０００７】
本発明によれば、空気熱交換器の熱交換効率を向上する上で有利になるヒートポンプ装置を提供することが可能となる。
【図面の簡単な説明】
【０００８】
【図１】実施の形態１によるヒートポンプ装置を示す前面図である。
【図２】実施の形態１によるヒートポンプ装置を示す前面図である。
【図３】実施の形態１によるヒートポンプ装置を示す側面断面図である。
【図４】実施の形態１によるヒートポンプ装置が備える液熱交換器を示す平面図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１及び図２は、実施の形態１によるヒートポンプ装置を示す前面図である。図３は、実施の形態１によるヒートポンプ装置を示す側面断面図である。図３は、図２中のＡ−Ａ線で切断した断面図に相当する。
【００１１】
これらの図に示すように、実施の形態１によるヒートポンプ装置１００は、圧縮機１、空気熱交換器２、箱３、ファンロータ４、底板５、液熱交換器７、及びファンモータ９を備える。ヒートポンプ装置１００は、室外に設置される。以下の説明では、ヒートポンプ装置１００が水平面の上に設置された状態を基準として方向を特定する。本実施の形態では、図１及び図２中の矢印で示すように、上下方向及び左右方向を定義する。また、図３中の矢印で示すように、上下方向及び前後方向を定義する。上下方向は、鉛直方向に相当する。また、上下方向は、高さ方向に相当する。
【００１２】
図１に示すように、底板５は、ヒートポンプ装置１００の底部を形成している。底板５は、典型的には金属製である。
【００１３】
圧縮機１は、冷媒ガスを圧縮する。本実施の形態では、二酸化炭素を冷媒として用いることが望ましい。ただし、二酸化炭素以外の冷媒を用いてもよい。圧縮機１と、液熱交換器７と、冷媒を減圧する減圧装置（図示省略）と、空気熱交換器２とは、冷媒配管により環状に接続されることで、冷媒回路を構成する。圧縮機１が運転されると、冷媒回路内の冷媒が循環する。
【００１４】
液熱交換器７は、冷媒と液状の熱媒体との間で熱を交換する。本実施の形態における液状の熱媒体は、例えば、水でもよい。また、本実施の形態における液状の熱媒体は、例えば、塩化カルシウム水溶液、エチレングリコール水溶液、アルコールのような水以外の液体でもよい。圧縮機１により圧縮された高温高圧の冷媒と、熱媒体との間で液熱交換器７にて熱を交換することにより、熱媒体を加熱することができる。加熱された熱媒体は、ヒートポンプ装置１００の外部へ供給される。その供給された熱媒体は、例えば、給湯に利用されてもよいし、暖房に利用されてもよい。
【００１５】
図３に示すように、液熱交換器７は、箱３内に収納されている。箱３は、典型的には金属製である。箱３内には、液熱交換器７を覆う断熱材１０が設けられている。
【００１６】
減圧装置は、液熱交換器７を通過した高圧冷媒を減圧及び膨張させる。減圧装置により、冷媒の温度及び圧力が低下する。減圧装置は、その開度を調節可能な膨張弁でもよい。
【００１７】
減圧装置を通過した低圧冷媒は、空気熱交換器２に流入する。空気熱交換器２は、冷媒と空気との間で熱を交換させる。空気熱交換器２にて、冷媒は、空気の熱を吸収する。
【００１８】
空気熱交換器２は、ヒートポンプ装置１００の後面に位置する後面部２Ａを有する。後面部２Ａは、水平面に対して垂直に延びる外形を有する。また、後面部２Ａは、前後方向に対して垂直な平面に沿って延びる外形を有する。
【００１９】
本実施の形態における空気熱交換器２は、ヒートポンプ装置１００の左側面に位置する左側面部２Ｂをさらに有している。左側面部２Ｂは、水平面に対して垂直に延びる外形を有する。また、左側面部２Ｂは、左右方向に対して垂直な平面に沿って延びる外形を有する。平面視において、後面部２Ａと左側面部２ＢとがＬ字状をなすようにつながっている。
【００２０】
図３に示すように、ファンロータ４は、空気熱交換器２の後面部２Ａの前に位置する。ファンモータ９は、ファンロータ４を回転させる。ファンロータ４が回転すると、空気熱交換器２を通過する気流が発生する。図示の例のファンロータ４は、３枚の羽根を有するプロペラファンに相当する。
【００２１】
図２に示すように、ヒートポンプ装置１００の前面には、前面パネル６が取り付けられている。前面パネル６には、ベルマウス８が取り付けられている。ベルマウス８は、ファンロータ４を取り囲むように設けられている。すなわち、ベルマウス８は、ファンロータ４の周囲にある。ヒートポンプ装置１００の前面の、ベルマウス８の内側を除く領域は、前面パネル６によって覆われている。図１は、前面パネル６及びベルマウス８が取り外された状態を示している。
【００２２】
ヒートポンプ装置１００の内部空間は、仕切板１６により、左側の送風室１４と、右側の機械室１５とに分けられている。ファンロータ４、液熱交換器７、及び箱３は、送風室１４内に設置されている。圧縮機１は、機械室１５内に設置されている。圧縮機１、空気熱交換器２、液熱交換器７、及び箱３は、底板５の上に配置されている。
【００２３】
ファンロータ４が回転すると、外部の空気が空気熱交換器２を通過して送風室１４に吸い込まれる。その吸い込まれた空気は、ベルマウス８の内側を通って、ヒートポンプ装置１００の外部へ排出される。本実施の形態であれば、ベルマウス８を設けたことで、送風室１４を通過する空気がより円滑に流れるようにすることができる。なお、送風室１４を通過する気流の方向は、上記と逆でもよい。すなわち、気流は、ベルマウス８の内側を通って送風室１４に吸い込まれた後、空気熱交換器２を通過してヒートポンプ装置１００の外部へ排出されるように流れてもよい。
【００２４】
図３に示すように、ファンロータ４は、ファンモータ９の前に位置する。ファンロータ４は、空気熱交換器２の後面部２Ａと向かい合う。ファンロータ４は、ファンモータ９の出力シャフトに連結されている。ファンロータ４の回転中心ＲＣの線は、前後方向に平行である。すなわち、回転中心ＲＣの線は、水平になっている。ファンモータ９は、支柱１１により支持されている。図３は、回転中心ＲＣの線を含む平面で切断した図に相当する。
【００２５】
箱３は、前面３Ａ及び後面３Ｂを有する。前面３Ａは、前方を向く表面である。後面３Ｂは、後方を向く表面である。図示の例では、前面３Ａ及び後面３Ｂは、水平面に対して垂直になっている。後面３Ｂと、空気熱交換器２の後面部２Ａとの間には、空間１２が形成されている。
【００２６】
前上端３Ｃは、前面３Ａの上端に相当する。後上端３Ｄは、後面３Ｂの上端に相当する。後上端３Ｄは、前上端３Ｃよりも高い位置にある。
【００２７】
箱３の上面は、前上端３Ｃと後上端３Ｄとの間を接続する表面である。当該上面は、境界３Ｇを境に、前位上面３Ｅと、後位上面３Ｆとに分かれる。後位上面３Ｆは、前位上面３Ｅの後ろにある。前位上面３Ｅは、前上端３Ｃから境界３Ｇまでつながる面である。後位上面３Ｆは、境界３Ｇから後上端３Ｄまでつながる面である。
【００２８】
前位上面３Ｅは、後位上面３Ｆよりも低い位置にある。ファンロータ４の少なくとも一部は、前位上面３Ｅの上に位置する。すなわち、ファンロータ４の少なくとも一部は、前位上面３Ｅの鉛直上方に位置する。図示の例では、ファンロータ４の下端４Ａは、前位上面３Ｅの鉛直上方に位置する。
【００２９】
ファンロータ４の半径が大きいほど、風量を大きくすることができるので、空気熱交換器２の熱交換効率を向上する上で有利になる。一般的には、ファンロータ４の半径を大きくすると、液熱交換器７を小型化せざるを得ないという、トレード・オフの関係が生ずる。その理由は、次のとおりである。半径が大きいファンロータ４を設置するには、回転中心ＲＣと箱３の上面との距離を大きくする必要がある。よって、回転中心ＲＣの位置が同じであれば、箱３の上面の位置を低くする必要がある。箱３の上面の位置が低くなると、箱３の容積が減少するので、液熱交換器７を小型化せざるを得ない。
【００３０】
これとは対照的に、本実施の形態であれば、以下の効果が得られる。回転中心ＲＣと前位上面３Ｅとの距離は、回転中心ＲＣと後位上面３Ｆとの距離よりも大きい。これにより、半径の大きいファンロータ４を設置しやすいので、空気熱交換器２の熱交換効率を向上する上で有利になる。また、後位上面３Ｆが前位上面３Ｅよりも高い位置にあるので、箱３の容積の減少を防止できる。よって、比較的大きいサイズの液熱交換器７を設置しやすい。
【００３１】
以下の説明では、箱３の内部空間の鉛直方向についての寸法を「内部空間高さ」と称する。本実施の形態において、後位上面３Ｆの下における内部空間高さは、前位上面３Ｅの下における内部空間高さよりも大きい。これにより、箱３の容積を大きくする上でより有利になるので、より大きいサイズの液熱交換器７を設置しやすい。
【００３２】
本実施の形態において、前位上面３Ｅは、後ろから前に向かって連続的に位置が低くなるように傾斜している。すなわち、前位上面３Ｅは、境界３Ｇから前上端３Ｃに向かって下るように傾斜している。これにより、前上端３Ｃの近くにおける前位上面３Ｅの位置をより低くすることと、箱３の容積を大きくすることとを両立する上でより有利になる。
【００３３】
本実施の形態において、後位上面３Ｆは、水平である。境界３Ｇは、後上端３Ｄと同じ高さの位置にある。支柱１１の下端は、後位上面３Ｆに固定されている。本実施の形態であれば、後位上面３Ｆが水平になっていることにより、箱３の容積を大きくする上でより有利になる。
【００３４】
図３中の空気熱交換器高さＨ１は、空気熱交換器２の下端と空気熱交換器２の上端との間の鉛直方向の距離である。また、回転中心高さＨ２は、空気熱交換器２の下端とファンロータ４の回転中心ＲＣとの間の鉛直方向の距離である。本実施の形態では、回転中心高さＨ２は、空気熱交換器高さＨ１の１／２に等しい。すなわち、鉛直方向の位置に関して、ファンロータ４の回転中心ＲＣは、空気熱交換器２の高さの中央に位置する。これにより、空気熱交換器２の全体に気流を均等に当てる上で有利になるので、空気熱交換器２の熱交換効率をさらに向上することができる。その結果、ヒートポンプサイクルの運転をより高効率に行うことができる。なお、回転中心高さＨ２が、空気熱交換器高さＨ１の０．４５倍以上、かつ、空気熱交換器高さＨ１の０．５４倍以下の範囲にあれば、上記効果に類似した効果が得られる。
【００３５】
本実施の形態では、ファンロータ４の回転中心ＲＣの線が水平になっている。変形例として、ファンロータ４の回転中心ＲＣの線が水平面に対して傾斜していてもよい。回転中心ＲＣの線が水平面に対して傾斜している場合には、空気熱交換器２の下端とファンロータ４の重心位置との間の鉛直方向の距離が回転中心高さＨ２に相当するものとする。
【００３６】
ベルマウス８の少なくとも一部は、箱３の前位上面３Ｅの上に位置する。すなわち、ベルマウス８の少なくとも一部は、前位上面３Ｅの鉛直上方に位置する。本実施の形態であれば、前位上面３Ｅが後位上面３Ｆよりも低い位置にあるので、ベルマウス８の位置を低くすることができる。このため、ファンロータ４の回転中心ＲＣの位置を、空気熱交換器高さＨ１の中央の位置に近づける上で有利になる。
【００３７】
仮に、前位上面３Ｅが後位上面３Ｆと同じ高さであったとすると、ファンロータ４及びベルマウス８の位置を高くする必要がある。その結果、ファンロータ４の回転中心ＲＣの位置が、空気熱交換器高さＨ１の中央の位置よりも上に大きくずれてしまう。それゆえ、空気熱交換器２の熱交換効率を向上することが困難となる可能性がある。
【００３８】
本実施の形態におけるベルマウス８は、第一下端８Ａ及び第二下端８Ｂを有する。第一下端８Ａは、第二下端８Ｂよりも前に位置する。第一下端８Ａは、第二下端８Ｂよりも低い位置にある。第二下端８Ｂは、前位上面３Ｅの鉛直上方に位置する。第一下端８Ａは、前後方向の位置に関して、箱３の前面３Ａよりも前にある。ベルマウス８は、箱３に接触していない。
【００３９】
本実施の形態において、ベルマウス８の第一下端８Ａは、箱３の後上端３Ｄよりも低い位置にある。これにより、ベルマウス８の位置を低くする上でより有利になる。その結果、ファンロータ４の回転中心ＲＣの位置を、空気熱交換器高さＨ１の中央の位置に近づける上でより有利になる。なお、図示の例では、ベルマウス８の第一下端８Ａは、箱３の後位上面３Ｆよりも低い位置にある。また、第一下端８Ａは、箱３の前上端３Ｃとほぼ同じ高さの位置にある。
【００４０】
また、本実施の形態において、ベルマウス８の第二下端８Ｂは、箱３の後上端３Ｄよりも低い位置にある。これにより、ベルマウス８の位置を低くする上でより有利になる。その結果、ファンロータ４の回転中心ＲＣの位置を、空気熱交換器高さＨ１の中央の位置に近づける上でより有利になる。なお、図示の例では、ベルマウス８の第二下端８Ｂは、箱３の後位上面３Ｆよりも低い位置にある。
【００４１】
本実施の形態であれば、ファンロータ４及びベルマウス８を大型化する上で有利になる。その結果、空気熱交換器２での熱交換量を増加させることができ、高性能な運転が可能となる。
【００４２】
図４は、実施の形態１によるヒートポンプ装置１００が備える液熱交換器７を示す平面図である。本実施の形態における液熱交換器７は、熱媒体が通る液体管の周囲に、冷媒が通る冷媒管がつるまき状に巻かれた複合管構造７Ｃを有する。液熱交換器７は、複合管構造７Ｃがコイル状に巻かれた上段部分７Ａと、複合管構造７Ｃがコイル状に巻かれた下段部分７Ｂとを備えている。上段部分７Ａは、下段部分７Ｂの上に位置する。平面視において、上段部分７Ａは、前後方向の長さＬ１と、左右方向の長さＬ２とを有する。下段部分７Ｂは、前後方向の長さＬ３と、左右方向の長さＬ４とを有する。図示の例では、Ｌ１＜Ｌ３であり、Ｌ２＜Ｌ４である。平面視において、上段部分７Ａの外縁で囲まれる領域の面積は、下段部分７Ｂの外縁で囲まれる領域の面積よりも小さい。
【００４３】
図３に示すように、箱３の内部空間を下部空間３Ｈと上部空間３Ｉとに分けた場合、上部空間３Ｉを水平面で切断した断面積は、下部空間３Ｈを水平面で切断した断面積よりも小さくなる。傾斜した前位上面３Ｅが形成されていることによって、上部空間３Ｉの水平断面積は、下部空間３Ｈの水平断面積よりも小さくなっている。液熱交換器７の下段部分７Ｂの全体は、下部空間３Ｈ内に位置する。上段部分７Ａの少なくとも一部は、上部空間３Ｉ内に位置する。本実施の形態であれば、平面視での面積が下段部分７Ｂよりも小さい上段部分７Ａを液熱交換器７が備えたことで、以下の効果が得られる。下部空間３Ｈだけでなく、水平断面積が比較的小さい上部空間３Ｉを有効に活用して、液熱交換器７の上段部分７Ａを配置できる。このため、大きい液熱交換器７を箱３内に収納する上で有利になる。
【００４４】
本実施の形態では、前後方向の長さに関して、前位上面３Ｅは、後位上面３Ｆよりも長い。すなわち、前後方向の位置に関して、境界３Ｇは、箱３の中央よりも後方の位置にある。
【００４５】
変形例として、後位上面３Ｆが後ろから前に向かって連続的に位置が低くなるように傾斜していてもよい。例えば、後位上面３Ｆが前位上面３Ｅと同じ傾斜角度で傾斜していてもよい。その場合、前後方向の位置に関して箱３の中央の位置を前位上面３Ｅと後位上面３Ｆとの境界３Ｇとみなしてもよい。
【００４６】
他の変形例として、前位上面３Ｅの少なくとも一部が水平であってもよい。例えば、前位上面３Ｅが後位上面３Ｆよりも低い位置において水平になっており、境界３Ｇの位置に段差が形成されるようにしてもよい。
【００４７】
本実施の形態において、前後方向についての箱３の最大長さは、鉛直方向についての箱３の最大長さよりも大きい。また、左右方向についての箱３の最大長さは、前後方向についての箱３の最大長さよりも大きい。
【００４８】
図１に示すように、本実施の形態では、箱３の外形は、左右方向に沿って、ほぼ一定の形状になっている。変形例として、箱３の外形が、左右方向に沿って、変化していてもよい。
【符号の説明】
【００４９】
１  圧縮機、  ２  空気熱交換器、  ２Ａ  後面部、  ２Ｂ  左側面部、  ３  箱、  ３Ａ  前面、  ３Ｂ  後面、  ３Ｃ  前上端、  ３Ｄ  後上端、  ３Ｅ  前位上面、  ３Ｆ  後位上面、  ３Ｇ  境界、  ４  ファンロータ、  ４Ａ  下端、  ５  底板、  ６  前面パネル、  ７  液熱交換器、  ７Ａ  上段部分、  ７Ｂ  下段部分、  ７Ｃ  複合管構造、  ８  ベルマウス、  ８Ａ  第一下端、  ８Ｂ  第二下端、  ９  ファンモータ、  １０  断熱材、  １１  支柱、  １２  空間、  １４  送風室、  １５  機械室、  １６  仕切板、  １００  ヒートポンプ装置
【図１】
2020136825.tif 000003
【図２】
2020136825.tif 000004
【図３】
2020136825.tif 000005
【図４】
2020136825.tif 000006
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
冷媒を圧縮する圧縮機と、
前記冷媒と液状の熱媒体との間で熱を交換する液熱交換器と、
前記液熱交換器を収納する箱と、
前記冷媒と空気との間で熱を交換する空気熱交換器と、
前記空気熱交換器を通過する気流を発生させるファンロータと、
を備えるヒートポンプ装置において、
前記空気熱交換器は、後面に位置する後面部を有し、
前記ファンロータは、前記空気熱交換器の前記後面部の前に位置し、
前記箱は、前面と、後面と、前記前面の上端である前上端と前記後面の上端である後上端との間を接続する上面とを有し、
前記後上端は、前記前上端よりも高い位置にあり、
前記箱の前記上面は、前位上面と、前記前位上面の後ろにある後位上面とに分かれ、
前記前位上面は、前記後位上面よりも低い位置にあり、
前記ファンロータの少なくとも一部は、前記前位上面の上に位置し、
前記空気熱交換器の下端と前記空気熱交換器の上端との間の鉛直方向の距離は、空気熱交換器高さであり、
前記空気熱交換器の前記下端と前記ファンロータの回転中心との間の鉛直方向の距離は、回転中心高さであり、
前記回転中心高さは、前記空気熱交換器高さの０．４５倍以上、かつ、前記空気熱交換器高さの０．５４倍以下であるヒートポンプ装置。
【請求項２】
前記前位上面は、後ろから前に向かって連続的に位置が低くなるように傾斜している請求項１に記載のヒートポンプ装置。
【請求項３】
前記液熱交換器は、コイル状に巻かれた下段部分と、前記下段部分の上に位置し、コイル状に巻かれた上段部分とを有し、
平面視において、前記上段部分の外縁で囲まれる領域の面積が前記下段部分の外縁で囲まれる領域の面積よりも小さい請求項１または請求項２に記載のヒートポンプ装置。
【請求項４】
前記ファンロータの周囲にあるベルマウスを備え、
前記ベルマウスの少なくとも一部は、前記前位上面の上に位置する請求項１から請求項３のいずれか一項に記載のヒートポンプ装置。
【請求項５】
前記ベルマウスの下端は、前記箱の前記後上端よりも低い位置にある請求項４に記載のヒートポンプ装置。
【請求項６】
前記箱の内部空間の鉛直方向についての寸法は、内部空間高さであり、
前記後位上面の下における前記内部空間高さは、前記前位上面の下における前記内部空間高さよりも大きい請求項１から請求項５のいずれか一項に記載のヒートポンプ装置。
【請求項７】
前記後位上面は、水平である請求項１から請求項６のいずれか一項に記載のヒートポンプ装置。
【手続補正２】
【補正対象書類名】明細書
【補正対象項目名】０００６
【補正方法】変更
【補正の内容】
【０００６】
本発明のヒートポンプ装置は、冷媒を圧縮する圧縮機と、冷媒と液状の熱媒体との間で熱を交換する液熱交換器と、液熱交換器を収納する箱と、冷媒と空気との間で熱を交換する空気熱交換器と、空気熱交換器を通過する気流を発生させるファンロータと、を備えるヒートポンプ装置において、空気熱交換器は、後面に位置する後面部を有し、ファンロータは、空気熱交換器の後面部の前に位置し、箱は、前面と、後面と、前面の上端である前上端と後面の上端である後上端との間を接続する上面とを有し、後上端は、前上端よりも高い位置にあり、箱の上面は、前位上面と、前位上面の後ろにある後位上面とに分かれ、前位上面は、後位上面よりも低い位置にあり、ファンロータの少なくとも一部は、前位上面の上に位置し、空気熱交換器の下端と空気熱交換器の上端との間の鉛直方向の距離は、空気熱交換器高さであり、空気熱交換器の下端とファンロータの回転中心との間の鉛直方向の距離は、回転中心高さであり、回転中心高さは、空気熱交換器高さの０．４５倍以上、かつ、空気熱交換器高さの０．５４倍以下であるものである。
【国際調査報告】
2020136825.tif 000007
2020136825.tif 000008
2020136825.tif 000009
2020136825.tif 000010